(57)【要約】【課題】単位電池と監視部とを電気的に接続するコネクタの抜けの検出精度を向上させる。【解決手段】所定数の監視部毎にグループ化した単位監視ブロックＢ１〜Ｂ３毎にシリアルラインＳＬ１〜ＳＬ３を形成し、単位監視ブロックＢ１〜Ｂ３それぞれが電気的に独立するように構成する。そして、組電池１と電池監視装置２とを接続する接続手段を複数の監視部ＩＣ０〜ＩＣ１４それぞれの正極側および負極側の電源ラインＬ０〜Ｌ１７、および当該電源ラインと単位電池Ｖ０〜Ｖ１４の両電極とを接続するための複数のコネクタＣＮ１〜ＣＮ３で構成する。さらに、複数のコネクタＣＮ１〜ＣＮ３それぞれを、単位監視ブロックＢ１〜Ｂ３毎に対応して設ける構成とする。【選択図】図１
2011112475.tif 000002
【特許請求の範囲】
【請求項１】
複数の電池セルが直列に接続されて構成される組電池を所定数の電池セル毎にグループ化した単位電池それぞれに対応して設けられ、前記単位電池それぞれを監視する複数の監視部を備え、
前記複数の監視部は、対応する前記単位電池の両電極間に接続された接続手段を介して電源供給されることで作動するように構成されると共に、前記単位電池の監視を指示する指示信号が、前記複数の監視部における高電圧側の前記単位電池に対応する監視部から低電圧側の単位電池に対応する監視部へと順次出力されるようにシリアルラインが形成された電池監視装置であって、
前記複数の監視部には、所定数の監視部毎にグループ化した単位監視ブロック毎に前記シリアルラインが形成されると共に、前記単位監視ブロックそれぞれが電気的に独立するように構成され、
前記接続手段は、前記複数の監視部それぞれの正極側および負極側の電源ライン、および当該電源ラインと前記単位電池の両電極とを接続するための複数のコネクタで構成され、
前記複数のコネクタそれぞれは、前記単位監視ブロックにおける最も高電圧側の単位電池に対応する高電圧対応監視部の正極側の電源ラインおよび前記単位監視ブロックにおける最も低電圧側の単位電池に対応する低電圧対応監視部の負極側の電源ラインのうち少なくとも一方に接続されていることを特徴とする電池監視装置。
【請求項２】
前記複数のコネクタは、前記単位監視ブロック毎に対応して設けられていることを特徴とする請求項１に記載の電池監視装置。
【請求項３】
複数の電池セルが直列に接続されて構成される組電池を所定数の電池セル毎にグループ化した単位電池それぞれに対応して設けられ、前記単位電池それぞれを監視する複数の監視部を備え、
前記複数の監視部は、対応する前記単位電池の両電極間に接続された接続手段を介して電源供給されることで作動するように構成されると共に、前記単位電池の監視を指示する指示信号が、前記複数の監視部における高電圧側の前記単位電池に対応する監視部から低電圧側の単位電池に対応する監視部へと順次出力されるようにシリアルラインが形成された電池監視装置であって、
前記複数の監視部には、所定数の監視部毎にグループ化した単位監視ブロック毎に前記シリアルラインが形成されており、
前記接続手段は、前記複数の監視部それぞれの正極側および負極側の電源ライン、および当該電源ラインと前記単位電池の両電極とを接続するための複数のコネクタで構成され、
前記複数のコネクタのいずれか１つのコネクタに接続された前記電源ラインは、他のコネクタに接続された前記電源ラインから電気的に独立させることを特徴とする電池監視装置。
【発明の詳細な説明】
【技術分野】
【０００１】
本発明は、複数の電池セルが直列接続されて構成される組電池を監視する電池監視装置に関する。
【背景技術】
【０００２】
従来の電池監視装置は、複数の電池セルが直列接続されて構成される組電池を所定数の電池セルからなる単位電池に分割すると共に当該単位電池に対応して設けられた複数の監視部や各監視部からの監視結果に基づいて単位電池の異常の有無を判定するマイクロコンピュータ（以下、単にマイコンという。）を有し、各監視部で単位電池の状態を監視するように構成されている（例えば、特許文献１）。
【０００３】
この特許文献１に記載の電池監視装置では、マイコンから単位電池の監視を指示する指示信号が最も高電圧となる単位電池を監視する監視部に出力されると、当該指示信号が入力された監視部が監視結果及び指示信号を、順次、隣接する監視部へと出力するように構成されている。そして、当該指示信号が最も低電圧となる単位電池を監視する監視部に入力されると、当該指示信号が入力された監視部から各監視部の監視結果等をマイコンに出力するように構成されている。このように、特許文献１に記載の電池監視装置は、リング状（閉ループ）のシリアルラインにてマイコンと各監視部との間の信号の入出力が可能に構成されている。
【先行技術文献】
【特許文献】
【０００４】
【特許文献１】特開２００７−２７８９１３号公報
【発明の概要】
【発明が解決しようとする課題】
【０００５】
ここで、本発明者らが、開発している電池監視装置について図５に基づいて説明する。なお、図５は、本発明者らが開発中の電池監視装置（開発品）の一例を示す概略構成図である。
【０００６】
図５に示すように、電池監視装置２００は、組電池１００のうち所定数の電池セル１００ａをグループ化した単位電池１０１〜１０６を監視する複数の監視部２０１〜２０６、各単位電池１０１〜１０６の両電極間の電圧を検出する電圧検出部２１０や各監視部２０１〜２０６の監視結果や電圧検出部２１０の検出結果に基づいて異常の有無を判定するマイコン２２０を備えている。そして、電池監視装置２００は、リング状のシリアルラインＳＬ（図中太線部）にてマイコン２２０と各監視部２０１〜２０６との間の信号の入出力が可能に構成されている。
【０００７】
電池監視装置２００の電圧検出部２１０は、各単位電池１０１〜１０６の両電極間それぞれに接続した検出ラインを介して、各単位電池１０１〜１０６の電圧を検出する構成としている。また、電池監視装置２００の各監視部２０１〜２０６それぞれは、監視する単位電池１０１〜１０６から当該検出ラインを介して電源供給されることで作動する構成としている。
【０００８】
各検出ラインは、隣接する単位電池１０１〜１０６のうち一方の正極端子に接続する検出ラインと他方の単位電池１０１〜１０６の負極端子に接続する検出ラインを兼用ラインとすることで、電池監視装置２００における配線数の低減を図っている。
【０００９】
また、各検出ラインは、電池交換等のメンテナンスを行う際に電池監視装置２００から組電池１００を脱着可能なように複数のコネクタＣＮａ〜ＣＮｃを介して各単位電池１０１〜１０６に接続されている。なお、複数のコネクタＣＮａ〜ＣＮｃを用いる理由は、コネクタＣＮａ〜ＣＮｃを抜き差しする際の挿抜力を低減するためである。
【００１０】
ところで、電池交換等のメンテナンスを行った際に、組電池１００と電池監視装置２００とを接続するコネクタＣＮａ〜ＣＮｃを抜き、メンテナンス等の完了後に一部のコネクタを接続し忘れると、単位電池１０１〜１０６を適切に監視できなくなるといった不具合がある。
【００１１】
そのため、現状では、電圧検出部２１０の検出結果に応じて、コネクタ抜けを検出するようにしている。なお、コネクタ抜けが生じた場合に、電圧検出部２１０にて各単位電池１０１〜１０６の電圧を検出すると、一部の単位電池の検出結果が異常（０Ｖ付近）となるので、当該異常がある場合にコネクタ抜けのおそれがあると判断できる。
【００１２】
しかし、電圧検出部２１０の検出結果だけでは、コネクタ抜けによる異常なのか、電圧検出部２１０の故障等の他の要因による異常なのかを特定できず、メンテナンスの作業者等が異常の発生要因を特定するといった煩雑な作業を行なうこととなる。そのため、メンテナンスの作業者等からは、コネクタ抜けを適切に検出可能な電池監視装置２００が望まれている。
【００１３】
そこで、本発明者らは、コネクタ抜けを適切に検出するために鋭意検討を重ねた。その結果、コネクタＣＮａ〜ＣＮｃが抜けると、各監視部２０１〜２０６のうち一部の監視部が単位電池１０１〜１０６から電力供給が遮断され、シリアルラインＳＬが途絶するといった関係を見出した。そして、コネクタ抜けとシリアルラインＳＬの途絶との関係を利用することで、コネクタ抜けと電圧検出部２１０の故障とを切り分けることが可能と考えられる。ここで、「シリアルラインＳＬが途絶する」とは、シリアルラインＳＬを介して各監視部２０１〜２０６の監視結果がマイコン５等に出力されないことを意味する。
【００１４】
ところが、上述のように、隣接する監視部２０１〜２０６の検出ラインの一部を兼用ラインとしているので、例えば、複数のコネクタＣＮａ〜ＣＮｃのうちコネクタＣＮｂが抜けた場合、監視部２０３、２０４は、他の監視部２０２、２０５に接続された兼用ラインを介して電源供給される場合があり、各監視部２０１〜２０６間を繋ぐシリアルラインＳＬが途絶しない可能性がある。つまり、単にコネクタ抜けとシリアルラインＳＬの途絶との関係を利用するだけでは、コネクタ抜けを特定するには不充分であった。
【００１５】
本発明は上記点に鑑みて、所定数の電池セルからなる単位電池を監視する電池監視装置において、単位電池と監視部とを電気的に接続するコネクタの抜けの検出精度を向上させることを目的とする。
【課題を解決するための手段】
【００１６】
上記目的を達成するため、請求項１に記載の発明では、複数の電池セルが直列に接続されて構成される組電池を所定数の電池セル毎にグループ化した単位電池それぞれに対応して設けられ、単位電池それぞれを監視する複数の監視部を備え、複数の監視部は、対応する単位電池の両電極間に接続された接続手段を介して電源供給されることで作動するように構成されると共に、単位電池の監視を指示する指示信号が、複数の監視部における高電圧側の単位電池に対応する監視部から低電圧側の単位電池に対応する監視部へと順次出力されるようにシリアルラインが形成された電池監視装置であって、複数の監視部には、所定数の監視部毎にグループ化した単位監視ブロック毎にシリアルラインが形成されると共に、単位監視ブロックそれぞれが電気的に独立するように構成され、接続手段は、複数の監視部それぞれの正極側および負極側の電源ライン、および当該電源ラインと単位電池の両電極とを接続するための複数のコネクタで構成され、複数のコネクタそれぞれは、単位監視ブロックにおける最も高電圧側の単位電池に対応する高電圧対応監視部の正極側の電源ラインおよび単位監視ブロックにおける最も低電圧側の単位電池に対応する低電圧対応監視部の負極側の電源ラインのうち少なくとも一方に接続されていることを特徴とする。
【００１７】
これによれば、単位監視ブロックそれぞれが電気的に独立する構成としているので、単位監視ブロックにおける高電圧対応監視部の正極側の電源ラインおよび低電圧対応監視部の負極側の電源ラインが他の監視部の電源ラインから電気的に独立することになる。
【００１８】
加えて、コネクタを、高電圧対応監視部の正極側の電源ラインおよび低電圧対応監視部の負極側の電源ラインの少なくとも一方に接続する構成とすることで、当該コネクタが抜けた場合に、高電圧対応監視部および低電圧対応監視部の少なくとも一方が単位電池から電源供給されなくなる。
【００１９】
これにより、高電圧対応監視部および低電圧対応監視部の少なくとも一方が作動しなくなり、当該高電圧対応監視部および低電圧対応監視部の少なくとも一方を含む当該単位監視ブロックに形成されたシリアルラインが途絶することとなる。
【００２０】
従って、複数のコネクタのいずれかが抜けると、シリアルラインのいずれかが途絶することになり、コネクタ抜けとシリアルラインの途絶とを確実に対応付けることができる。その結果、単位監視ブロックのシリアルラインが途絶したか否かを判定することで、コネクタ抜けを適切に特定することができ、コネクタ抜けの検出精度を向上させることができる。
【００２１】
また、請求項２に記載の発明のように、請求項１に記載の電池監視装置において、複数のコネクタを、単位監視ブロック毎に対応して設ける構成としてもよい。
【００２２】
これによれば、シリアルラインのいずれかが途絶した場合、途絶したシリアルラインが形成された単位監視ブロックに対応するコネクタが抜けていると判断することができる。従って、コネクタが抜けている箇所を特定することができ、より詳細にコネクタ抜けを検出することが可能となる。
【００２３】
また、請求項３に記載の発明では、複数の電池セルが直列に接続されて構成される組電池を所定数の電池セル毎にグループ化した単位電池それぞれに対応して設けられ、単位電池それぞれを監視する複数の監視部を備え、複数の監視部は、対応する単位電池の両電極間に接続された接続手段を介して電源供給されることで作動するように構成されると共に、単位電池の監視を指示する指示信号が、複数の監視部における高電圧側の単位電池に対応する監視部から低電圧側の単位電池に対応する監視部へと順次出力されるようにシリアルラインが形成された電池監視装置であって、複数の監視部には、所定数の監視部毎にグループ化した単位監視ブロック毎にシリアルラインが形成されており、接続手段は、複数の監視部それぞれの正極側および負極側の電源ライン、および当該電源ラインと単位電池の両電極とを接続するための複数のコネクタで構成され、複数のコネクタのいずれか１つのコネクタに接続された電源ラインは、他のコネクタに接続された電源ラインから電気的に独立させることを特徴とする。
【００２４】
このように、複数のコネクタのいずれか１つのコネクタに接続された電源ラインは、他のコネクタに接続された電源ラインと電気的に独立するように構成することで、複数のコネクタのうち１つのコネクタが抜けた場合、抜けたコネクタに電源ラインを介して接続された監視部には、他のコネクタに接続された電源ラインを介して電源供給されることはない。
【００２５】
これにより、当該抜けたコネクタに接続された監視部が作動しなくなり、作動しない監視部を含む単位監視ブロックに形成されたシリアルラインが途絶することとなる。
【００２６】
従って、複数のコネクタのいずれかが抜けると、シリアルラインのいずれかが途絶することになり、コネクタ抜けとシリアルラインの途絶とを確実に対応付けることができる。その結果、単位監視ブロックのシリアルラインが途絶したか否かを判定することで、コネクタ抜けを適切に特定することができ、コネクタ抜けの検出精度を向上させることができる。
【図面の簡単な説明】
【００２７】
【図１】第１実施形態に係る電池監視装置を含む組電池制御システムの全体構成図である。
【図２】第２実施形態に係る電池監視装置を含む組電池制御システムの要部を示す構成図である。
【図３】第３実施形態に係る電池監視装置を含む組電池制御システムの要部を示す構成図である。
【図４】第４実施形態に係る電池監視装置を含む組電池制御システムの要部を示す構成図である。
【図５】本発明の課題を説明するための説明図である。
【発明を実施するための形態】
【００２８】
以下、本発明の実施形態について図に基づいて説明する。なお、以下の各実施形態相互において、互いに同一もしくは均等である部分には、図中、同一符号を付してある。
【００２９】
（第１実施形態）
本発明の第１実施形態について図１に基づいて説明する。図１は、本実施形態に係る電池監視装置を含む組電池制御システムの全体構成を示している。
【００３０】
本実施形態では、組電池１を構成する車載高圧バッテリに本発明の電池監視装置２を適用している。この組電池１は、例えば、インバータを介して車両走行用の電動機に電力を供給するものである。
【００３１】
図１に示すように、組電池制御システムは、組電池１と電池監視装置２とを備えて構成されている。
【００３２】
組電池１は、充放電の最小単位である電池セル１ａを直列に接続して構成されており、組電池１を互いに隣接する所定数の電池セル毎（例えば６個）にグループ化したＮ個（本実施形態では１５個）の単位電池Ｖ０〜Ｖ１４の直列接続体としている。本実施形態の電池セル１ａにはリチウム二次電池を採用している。
【００３３】
組電池１には、単位電池Ｖ４における最も高電圧となる電池セル１ａの正極端子と単位電池Ｖ５における最も低電圧となる電池セル１ａの負極端子との間にサービスプラグ１０ａが設けられている。また、単位電池Ｖ９における最も高電圧となる電池セル１ａの正極端子と単位電池Ｖ１０における最も低電圧となる電池セル１ａの負極端子との間にもサービスプラグ１０ｂが設けられている。
【００３４】
このサービスプラグ１０ａ、１０ｂは、電池交換等のメンテナンスにおいて、各サービスプラグ１０ａ、１０ｂを開状態とすることで、組電池１を単位電池Ｖ０〜Ｖ４の直列接続体、単位電池Ｖ５〜Ｖ９の直列接続体、および単位電池Ｖ１０〜Ｖ１４の直列接続体に分割するために設けられている。これにより、電池交換等のメンテナンスの安全性の向上を図っている。
【００３５】
このように構成される組電池１の各単位電池Ｖ０〜Ｖ１４には、複数の検出ラインＬ０〜Ｌ１７（本実施形態では１８本）、および複数のコネクタＣＮ１〜ＣＮ３（本実施形態では３つ）といった接続手段を介して電池監視装置２が接続されている。
【００３６】
この電池監視装置２は、単位電池Ｖ０〜Ｖ１４の両電極間の電圧を検出する電圧検出機能、単位電池Ｖ０〜Ｖ１４の状態（過放電状態および過充電状態）を監視する過充放電検出機能、および組電池１と電池監視装置２とを接続するコネクタＣＮ１〜ＣＮ３の抜けを検出するコネクタ抜け検出機能を有する装置である。なお、過放電状態は、単位電池Ｖ０〜Ｖ１４の両端の電圧が信頼性の低下を招く過度な低電圧となる異常状態を意味し、過充電状態は、単位電池Ｖ０〜Ｖ１４の両端の電圧が信頼性の低下を招く過度な高電圧となる異常状態を意味する。
【００３７】
電池監視装置２は、電圧検出ユニット３、監視ユニット４、およびマイコン５（マイクロコンピュータ）を備えて構成されている。
【００３８】
電圧検出ユニット３は、単位電池Ｖ０〜Ｖ１４の両電極間の電圧を検出するものである。電圧検出ユニット３は、マルチプレクサ３１と、フライングキャパシタ３２、３３と、電圧検出回路３４、３５と、Ａ／Ｄ変換器３６とを備えている。
【００３９】
マルチプレクサ３１は、各単位電池Ｖ０〜Ｖ１４の両電極に接続された各検出ラインＬ０〜Ｌ１７に設けられ、例えばＳＳＲ（Solid State Relay）等からなるサンプリングスイッチＳＷ０〜ＳＷ１７で構成されている。各サンプリングスイッチＳＷ０〜ＳＷ１７は、半導体スイッチであって、マイコン５からの信号に応じて切替可能に構成されている。
【００４０】
マルチプレクサ３１が設けられた各検出ラインＬ０〜Ｌ１７は、３本の入力ラインＩＮ１〜ＩＮ３と接続されており、入力ラインＩＮ１及び入力ラインＩＮ２との間に第１のフライングキャパシタ３２が接続され、入力ラインＩＮ２と入力ラインＩＮ３との間に第２のフライングキャパシタ３３が接続されている。
【００４１】
また、各入力ラインＩＮ１〜ＩＮ３には、単位電池Ｖ０〜Ｖ１４側とマイコン５側とを絶縁する絶縁素子（例えば、フォトＭＯＳリレー）によって構成される３つのサンプリングスイッチＳＷａ、ＳＷｂ、ＳＷｃが設けられている。
【００４２】
フライングキャパシタ３２、３３は、マイコン５にてスイッチＳＷ０〜ＳＷ１７が操作（オン）されて、各単位電池Ｖ０〜Ｖ１４の両電極間に接続されることで充電し、充電の完了後に、スイッチＳＷａ〜ＳＷｃが操作（オフ）されることで放電する。
【００４３】
各入力ラインＩＮ１〜ＩＮ３には、スイッチＳＷａ、ＳＷｂ、ＳＷｃを介して、２つの電圧検出回路３４、３５の入力端子に接続されており、各電圧検出回路３４、３５がフライングキャパシタ３２、３３に充電した電圧を検出する。なお、入力ラインＩＮ１には、検出ラインＬ０、Ｌ４、Ｌ９、Ｌ１４が接続され、入力ラインＩＮ２には、検出ラインＬ１、Ｌ３、Ｌ５、Ｌ６、Ｌ８、Ｌ１０、Ｌ１３、Ｌ１５、Ｌ１７が接続され、入力ラインＩＮ３には、検出ラインＬ２、Ｌ７、Ｌ１１、Ｌ１２、Ｌ１６が接続されている。
【００４４】
そして、各電圧検出回路３４、３５の出力は、Ａ／Ｄ変換器３６に取り込まれる。Ａ／Ｄ変換器３６では、各電圧検出回路３４、３５が出力するアナログデータをディジタルデータに変換し、マイコン５に出力する。
【００４５】
従って、マイコン５は、上記スイッチＳＷ０〜ＳＷ１７およびスイッチＳＷａ〜ＳＷｃを制御することで、各電圧検出回路３４、３５にて検出された各単位電池Ｖ０〜Ｖ１４の両電極間の電圧を取得することとなる。
【００４６】
監視ユニット４は、組電池１の各単位電池Ｖ０〜Ｖ１４に対応して設けられたＮ個（本実施形態では１５個）の監視部ＩＣ０〜ＩＣ１４を備えている。
【００４７】
各監視部ＩＣ０〜ＩＣ１４は、監視対象である単位電池Ｖ０〜Ｖ１４の負極端子に接続される検出ラインと正極端子に接続される検出ラインに接続されている。また、各監視部ＩＣ０〜ＩＣ１４は、単位電池Ｖ０〜Ｖ１４から電源供給されることで作動するように構成されており、各検出ラインＬ０〜Ｌ１７は、各監視部ＩＣ０〜ＩＣ１４の電源ライン（給電用の配線）としても機能する。
【００４８】
そして、各監視部ＩＣ０〜ＩＣ１４は、単位電池Ｖ０〜Ｖ１４の監視を指示する指示信号（例えば、クロック信号ＣＬＫ）に応じて、単位電池Ｖ０〜Ｖ１４の過放電状態および過充電状態を監視するように構成されている。
【００４９】
具体的には、各監視部ＩＣ０〜ＩＣ１４は、過放電状態であるか否かを監視する際に、単位電池Ｖ０〜Ｖ１４の両電極間の電圧が予め過放電状態時の電圧に設定された過放電閾値電圧よりも低いか否かを判定する。そして、単位電池Ｖ０〜Ｖ１４の両電極間の電圧が当該閾値電圧よりも低い場合には監視結果を過放電状態とし、単位電池Ｖ０〜Ｖ１４の両電極間の電圧が当該閾値電圧以上の場合には監視結果を正常状態とする。
【００５０】
また、各監視部ＩＣ０〜ＩＣ１４は、過充電状態であるか否かを監視する際に、単位電池Ｖ０〜Ｖ１４の両電極間の電圧が予め過充電状態時の電圧に設定された過充電閾値電圧よりも高いか否かを判定する。そして、単位電池Ｖ０〜Ｖ１４の両電極間の電圧が当該閾値電圧よりも高い場合には監視結果を過充電状態とし、単位電池Ｖ０〜Ｖ１４の両電極間の電圧が当該閾値電圧以下の場合には監視結果を正常状態とする。
【００５１】
なお、各監視部ＩＣ０〜ＩＣ１４は、単位電池Ｖ０〜Ｖ１４の監視を指示する指示信号（以下、単に監視指示信号という。）を取り込むと共に隣接する監視部ＩＣ０〜ＩＣ１４の一方の出力信号を取り込むための入力部（図示略）と、監視指示信号を出力すると共に隣接する監視部ＩＣ０〜ＩＣ１４の他方に出力する出力部（図示略）とを備えている。
【００５２】
本実施形態の監視ユニット４は、所定数（本実施形態では５個）の監視部毎にグループ化した単位監視ブロックＢ１〜Ｂ３を集合体として、単位監視ブロック毎にシリアルライン（シリアル伝送線）ＳＬ１〜ＳＬ３（図１における太実線部）が形成されている。各シリアルラインＳＬ１〜ＳＬ３は、マイコン５と各監視部ＩＣ０〜ＩＣ１４との間の信号の入出力を可能とするために形成されている。
【００５３】
各シリアルラインＳＬ１〜ＳＬ３は、マイコン５の出力部と各単位監視ブロックＢ１〜Ｂ３における最も高電圧となる単位電池Ｖ４、Ｖ９、Ｖ１４を監視する高電圧対応監視部ＩＣ４、ＩＣ９、ＩＣ１４の入力部とを接続し、マイコン５の入力部と各単位監視ブロックＢ１〜Ｂ３における最も低電圧となる単位電池Ｖ０、Ｖ５、Ｖ１０を監視する低電圧対応監視部ＩＣ０、ＩＣ５、ＩＣ１０の出力部とを接続し、さらに、各単位監視ブロックＢ１〜Ｂ３における隣接する監視部ＩＣ０〜ＩＣ１４同士を接続するラインである。
【００５４】
このように、各シリアルラインＳＬ１〜ＳＬ３は、マイコン５から各単位監視ブロックＢ１〜Ｂ３における高電圧対応監視部ＩＣ４、ＩＣ９、ＩＣ１４を通り、順次、低電圧側の監視部を通り、各単位監視ブロックＢ１〜Ｂ３における低電圧対応監視部ＩＣ０、ＩＣ５、ＩＣ１０からマイコン５へと戻るリング状に形成されている。換言すれば、各シリアルラインＳＬ１〜ＳＬ３は、マイコン５を基点として各単位監視ブロックＢ１〜Ｂ３における各監視部を環状に繋げる閉ループ（閉じた経路）を構成している。
【００５５】
各シリアルラインＳＬ１〜ＳＬ３におけるマイコン５と高電圧対応監視部ＩＣ４、ＩＣ９、ＩＣ１４との間には、マイコン５から各高電圧対応監視部ＩＣ４、ＩＣ９、ＩＣ１４に対して監視指示信号を出力するためのフォトカプラ４０ａが設けられている。また、各シリアルラインＳＬ１〜ＳＬ３におけるマイコン５と各低電圧対応監視部ＩＣ０、ＩＣ５、ＩＣ１０との間にも、各低電圧対応監視部ＩＣ０、ＩＣ５、ＩＣ１０からマイコン５に対して信号を出力するためのフォトカプラ４０ｂが設けられている。
【００５６】
これにより、マイコン５から出力された単位電池Ｖ０〜Ｖ１４の監視指示信号が、シリアルラインＳＬ１〜ＳＬ３を介して、高電圧側の単位電池Ｖ０〜Ｖ１４を監視する監視部から低電圧側の単位電池Ｖ０〜Ｖ１４を監視する監視部へと順次出力される。
【００５７】
ところで、本願の［発明が解決しようとする課題］にて説明したように、図５に示す電池監視装置では、コネクタ抜けを適切に検出することができなかった。
【００５８】
そのため、本実施形態では、組電池１と電池監視装置２とを接続するコネクタＣＮ１〜ＣＮ３のコネクタ抜けを適切に検出すべく、本実施形態では、コネクタ抜けと各単位監視ブロックＢ１〜Ｂ３に形成されたシリアルラインＳＬ１〜ＳＬ３の途絶とを対応付ける構成を採用している。以下、本実施形態におけるコネクタ抜けとシリアルラインＳＬ１〜ＳＬ３の途絶とを対応付けるための構成について説明する。
【００５９】
本実施形態では、各コネクタＣＮ１〜ＣＮ３と各単位監視ブロックＢ１〜Ｂ３とが、一対一で対応する構成としている。つまり、各コネクタＣＮ１〜ＣＮ３のうち１つのコネクタには、各単位監視ブロックＢ１〜Ｂ３のうち１つの単位監視ブロックの各検出ライン全てが接続され、他の単位監視ブロックの検出ラインが接続されない構成としている。
【００６０】
具体的には、本実施形態のコネクタＣＮ１には、単位監視ブロックＢ１を構成する各監視部ＩＣ０〜ＩＣ４の検出ライン（電源ライン）Ｌ０〜Ｌ５が接続され、コネクタＣＮ２には、単位監視ブロックＢ２を構成する各監視部ＩＣ５〜ＩＣ９の検出ラインＬ６〜Ｌ１１が接続され、コネクタＣＮ３には、単位監視ブロックＢ３の各監視部ＩＣ１０〜ＩＣ１４の検出ラインＬ１２〜Ｌ１７が接続されている。
【００６１】
そして、各検出ラインＬ０〜Ｌ１７は、電池監視装置２における配線数の低減を図るために、高電圧対応監視部ＩＣ４、ＩＣ９、ＩＣ１４の正極側の検出ラインＬ５、Ｌ１１、Ｌ１７および低電圧対応監視部ＩＣ０、ＩＣ５、ＩＣ１０の負極側の検出ラインＬ０、Ｌ６、Ｌ１２を除いて、隣接する監視部のうち一方の監視部の正極側に接続する検出ラインと他方の監視部の負極側に接続する検出ラインを兼用ラインとしている。
【００６２】
これにより、高電圧対応監視部ＩＣ４、ＩＣ９、ＩＣ１４の正極側の検出ラインＬ０、Ｌ６、Ｌ１２および低電圧対応監視部ＩＣ０、ＩＣ５、ＩＣ１０の負極側の検出ラインＬ０、Ｌ６、Ｌ１２を他の検出ラインから電気的に独立した検出ラインとなる。これにより、シリアルラインＳＬ１〜ＳＬ３が形成された各単位監視ブロックＢ１〜Ｂ３それぞれが電気的に独立することとなる。
【００６３】
このように、本実施形態では、各コネクタＣＮ１〜ＣＮ３と各単位監視ブロックＢ１〜Ｂ３とが、一対一で対応する構成とすると共に、シリアルラインＳＬ１〜ＳＬ３が形成された各単位監視ブロックＢ１〜Ｂ３それぞれが電気的に独立する構成としている。
【００６４】
この構成によれば、各コネクタＣＮ１〜ＣＮ３のうちいずれかのコネクタが抜けている場合、当該コネクタに対応する単位監視ブロックを構成する監視部全てが、単位電池Ｖ０〜Ｖ１４から電源供給されなくなり、単位監視ブロックに形成されたシリアルラインＳＬを途絶させることができる。
【００６５】
マイコン５は、図示しないＣＰＵ、ＲＯＭ、ＥＥＰＲＯＭ、ＲＡＭ等からなるマイクロコンピュータであって、ＲＯＭ等に記憶されたプログラムに従って各種処理等を実行するものである。
【００６６】
具体的には、本実施形態のマイコン５は、電圧検出ユニット３、監視ユニット４等に接続され、電圧検出ユニット３からの検出信号、監視ユニット４からの出力信号に基づいて、コネクタ抜け検知処理を実行するように構成されている。
【００６７】
以上が、本実施形態に係る電池監視装置２の全体構成であり、以下、本実施形態に係る電池監視装置２の作動を説明する。
【００６８】
本実施形態の電池監視装置２では、電圧検出ユニット３にて各単位電池Ｖ０〜Ｖ１４の両電極間の電圧を検出し、監視ユニット４にて各単位電池Ｖ０〜Ｖ１４の状態を監視した後にコネクタ抜け検出処理を行う。
【００６９】
まず、電圧検出ユニット３にて各単位電池Ｖ０〜Ｖ１４の両電極間の電圧を検出する。本実施形態では、電圧検出ユニット３の電圧検出回路３４にて隣接する単位電池のうち一方の単位電池Ｖｉ（ｉ＝０〜１４）の電圧を検出すると共に電圧検出回路３５にて他方の単位電池Ｖ（ｉ＋１）の電圧を検出するようにしている。
【００７０】
例えば、電圧検出回路３４にて単位電池Ｖ０の電圧を検出する場合には、電圧検出回路３５にて単位電池Ｖ１の電圧を検出することとなる。このことを詳しく説明すると、サンプリングスイッチＳＷ０〜ＳＷ２がオン操作され、フライングキャパシタ３２、３３の充電が完了すると、サンプリングスイッチＳＷ０〜ＳＷ２がオフ操作される。次に、サンプリングスイッチＳＷａ〜ＳＷｃがオン操作され各電圧検出回路３４、３５にて単位電池Ｖ０、Ｖ１の電圧を検出する。マイコン５は、このときの電圧検出回路３４、３５の検出値（単位電池Ｖ０、Ｖ１の電圧値）を取り込む。
【００７１】
次に、組電池１を構成する各単位電池Ｖ０〜Ｖ１４の過放電状態および過充電状態の監視を行なう。
【００７２】
マイコン５は、シリアルラインＳＬ１〜ＳＬ３およびフォトカプラ４０ａを介して、単位電池Ｖ０〜Ｖ１４の過放電状態または過充電状態を監視する旨を指示する監視指示信号を、各高電圧対応監視部ＩＣ４、ＩＣ９、ＩＣ１４の入力部に出力する。
【００７３】
各高電圧対応監視部ＩＣ４、ＩＣ９、ＩＣ１４の入力部に監視指示信号が取り込まれると、各高電圧対応監視部ＩＣ４、ＩＣ９、ＩＣ１４では、監視対象である単位電池Ｖ０〜Ｖ１４を監視指示信号に応じて監視し、監視結果を隣接する低電圧側の監視部ＩＣ３、ＩＣ４、ＩＣ１３の入力部に出力する。
【００７４】
各単位監視ブロックＢ１〜Ｂ３における高電圧対応監視部ＩＣ４、ＩＣ９、ＩＣ１４以外の監視部ＩＣ０〜ＩＣ３、ＩＣ５〜ＩＣ８、ＩＣ１０〜ＩＣ１３では、隣接する高電圧側の監視部の出力部から出力される出力信号（監視指示信号や監視結果を示す信号）が、シリアルラインＳＬ１〜ＳＬ３を介して、入力部に入力される。当該監視部ＩＣ０〜ＩＣ３、ＩＣ５〜ＩＣ８、ＩＣ１０〜ＩＣ１３では、監視指示信号に応じて、監視対象の単位電池Ｖ０〜Ｖ３、Ｖ５〜Ｖ８、Ｖ１０〜Ｖ１３を監視し、その監視結果と隣接する高電圧側の監視部の監視結果とを含む出力信号を出力する。
【００７５】
そして、各監視部ＩＣ０〜ＩＣ１４での監視が完了すると、各単位監視ブロックＢ１〜Ｂ３における低電圧対応監視部ＩＣ０、ＩＣ５、ＩＣ１０の出力部から出力される出力信号（各監視部ＩＣ０〜ＩＣ１４での監視結果を含む信号）は、シリアルラインＳＬ１〜ＳＬ３およびフォトカプラ４０ｂを介してマイコン５に出力される。
【００７６】
マイコン５では、低電圧対応監視部ＩＣ０、ＩＣ５、ＩＣ１０から出力された出力信号に基づいて、各単位電池Ｖ０〜Ｖ１４が過放電状態または過充電状態となっているか否かを判定する。つまり、マイコン５では、過放電状態または過充電状態の監視を指示する監視指示信号を各高電圧対応監視部ＩＣ４、ＩＣ９、ＩＣ１４に出力したときに、低電圧対応監視部ＩＣ０、ＩＣ５、ＩＣ１０から出力された出力信号に過放電状態または過充電状態を示す監視結果および監視指示信号が含まれているか否かを判定する。
【００７７】
当該判定の結果、低電圧対応監視部ＩＣ０、ＩＣ５、ＩＣ１０から出力された出力信号に過放電状態や過充電状態を示す監視結果等が含まれないと判定された場合、監視した単位電池Ｖ０〜Ｖ１４は正常と判定して監視処理を終了する。
【００７８】
一方、低電圧対応監視部ＩＣ０、ＩＣ５、ＩＣ１０から出力された出力信号に過放電状態や過充電状態を示す監視結果等が含まれると判定された場合、監視した単位電池Ｖ０〜Ｖ１４に異常有りと判定して、単位電池Ｖ０〜Ｖ１４の動作を停止する動作停止処理を行なう。
【００７９】
次に、組電池１と電池監視装置２との間のコネクタ抜けを検出するコネクタ抜け検出処理を行う。マイコン５は、上述の電圧検出ユニット３から取り込んだ各単位電池Ｖ０〜Ｖ１４の両電極間の電圧、および各シリアルラインＳＬ１〜ＳＬ３を介して低電圧対応監視部ＩＣ０、ＩＣ５、ＩＣ１０から出力された出力信号（各監視部ＩＣ０〜ＩＣ１４での監視結果を含む信号）に基づいて、コネクタ抜けが生じているか否かを判定する。
【００８０】
マイコン５では、まず、各単位電池Ｖ０〜Ｖ１４の電圧が予め０Ｖ付近に定めた基準電圧を下回っているか否かを判定することで、各単位電池Ｖ０〜Ｖ１４に異常があるか否かを判定する。
【００８１】
この結果、各単位電池Ｖ０〜Ｖ１４に異常があると判定された場合には、各シリアルラインＳＬ１〜ＳＬ３を介して低電圧対応監視部ＩＣ０、ＩＣ５、ＩＣ１０からマイコン５へ出力される出力信号に各監視部ＩＣ０〜ＩＣ１４の監視結果が含まれているか否かを判定する。つまり、マイコン５では、シリアルラインＳＬ１〜ＳＬ３が途絶しているか否かを判定する。
【００８２】
当該判定の結果、低電圧対応監視部ＩＣ０、ＩＣ５、ＩＣ１０からマイコン５へ出力される出力信号に各監視部ＩＣ０〜ＩＣ１４の監視結果の一部が含まれない、すなわちシリアルラインＳＬ１〜ＳＬ３が途絶していると判定された場合、コネクタ抜けが発生していると判断することができるので、図示しない異常報知器等を介してその旨を作業者に対して報知する。
【００８３】
一方、低電圧対応監視部ＩＣ０、ＩＣ５、ＩＣ１０からマイコン５へ各監視部ＩＣ０〜ＩＣ１４の出力結果が出力されている、すなわちシリアルラインＳＬ１〜ＳＬ３が途絶していないと判定された場合、コネクタ抜けではなく電圧検出ユニット３に異常が発生していると判断することができるので、図示しない異常報知器等を介してその旨を作業者に対して報知する。なお、電圧検出ユニット３の異常としては、スイッチＳＷ０〜ＳＷ１７やスイッチＳＷａ〜ＳＷｃのオープン故障（スイッチ開故障）を例示することができる。
【００８４】
以上説明した本実施形態によれば、組電池１と電池監視装置２とを接続するための各コネクタＣＮ１〜ＣＮ３は、各単位監視ブロックＢ１〜Ｂ３と一体一で対応するように構成している。
【００８５】
加えて、各単位監視ブロックＢ１〜Ｂ３における高電圧対応監視部ＩＣ４、ＩＣ９、ＩＣ１４の正極側に接続される検出ラインＬ５、Ｌ１１、Ｌ１７、および低電圧対応監視部ＩＣ０、ＩＣ５、ＩＣ１０の負極側に接続される検出ラインＩＣ０、ＩＣ６、ＩＣ１２それぞれを他の検出ラインと電気的に独立した検出ラインとすることで、各単位監視ブロックＢ１〜Ｂ３それぞれを電気的に独立する構成としている。
【００８６】
このため、コネクタＣＮ１〜ＣＮ３のいずれかが抜けていると、抜けているコネクタＣＮ１〜ＣＮ３に対応する単位監視ブロックＢ１〜Ｂ３の各監視部ＩＣ０〜ＩＣ１４は電源供給されず、作動しなくなる。
【００８７】
これにより、コネクタＣＮ１〜ＣＮ３の抜けると、確実にシリアルラインＳＬ１〜ＳＬ３が途絶することになり、単位監視ブロックＢ１〜Ｂ３のシリアルラインが途絶したか否かを判定することで、コネクタ抜けを適切に特定することができるので、コネクタ抜けの検出精度を向上させることができる。
【００８８】
また、本実施形態では、各コネクタＣＮ１〜ＣＮ３を、単位監視ブロックＢ１〜Ｂ３毎に対応して設ける構成としているので、各シリアルラインＳＬ１〜ＳＬ３のいずれかが途絶した場合には、途絶したシリアルラインが形成された単位監視ブロックＢ１〜Ｂ３に対応するコネクタＣＮ１〜ＣＮ３が抜けていると判断することができる。
【００８９】
これにより、コネクタＣＮ１〜ＣＮ３が抜けている箇所を特定することができ、より詳細にコネクタ抜けを検出することが可能となる。
【００９０】
（第２実施形態）
次に、本発明の第２実施形態について図２に基づいて説明する。本実施形態では、第１実施形態と異なる部分を主に説明する。ここで、図２は、本実施形態に係る電池監視装置２を含む組電池制御システムの要部を示す構成図である。なお、本実施形態の電圧検出ユニット３およびマイコン５については第１実施形態と同様であるため図２では省略している。
【００９１】
本実施形態では、コネクタ抜けと各単位監視ブロックＢ１〜Ｂ３に形成されたシリアルラインＳＬ１〜ＳＬ３の途絶とを対応付ける構成が、第１実施形態の構成と異なっている。
【００９２】
図２に示すように、本実施形態では、単位監視ブロックＢ３を２つのコネクタＣＮ３、ＣＮ４を介して、単位電池Ｖ１０〜Ｖ１４に接続する構成としている。そのため、コネクタＣＮ１〜ＣＮ４と各単位監視ブロックＢ１〜Ｂ３とが一対一で対応する構成となっていない。
【００９３】
また、検出ラインＬ１４は、各コネクタＣＮ３およびコネクタＣＮ４に接続された２本の検出ラインＬ１４ａ、Ｌ１４ｂで構成されており、検出ラインＬ１４ｂは、コネクタＣＮ４に接続された検出ラインＬ１４ａから分岐してコネクタＣＮ３に接続されている。
【００９４】
そして、本実施形態の各コネクタＣＮ１〜ＣＮ４は、各単位監視ブロックＢ１〜Ｂ３における高電圧対応監視部ＩＣ４、ＩＣ９、ＩＣ１４の正極側の検出ラインＬ５、Ｌ１１、Ｌ１７および低電圧対応監視部ＩＣ０、ＩＣ５、ＩＣ１０の負極側の検出ラインＬ０、Ｌ６、Ｌ１２の少なくともいずれかに接続される構成としている。
【００９５】
具体的には、本実施形態では、単位監視ブロックＢ３における高電圧対応監視部ＩＣ１４の正極側の検出ラインＬ１７をコネクタＣＮ４に接続し、低電圧対応監視部ＩＣ１０の負極側の検出ラインＬ１２をコネクタＣＮ３に接続する構成としている。
【００９６】
より詳しくは、本実施形態のコネクタＣＮ３は、単位監視ブロックＢ３における低電圧対応監視部ＩＣ１０の負極側の検出ラインＬ１２の他、検出ラインＬ１３、Ｌ１４ｂに接続されている。また、コネクタＣＮ４は、単位監視ブロックＢ３における高電圧対応監視部ＩＣ４、ＩＣ９、ＩＣ１４の正極側の検出ラインＬ１７の他、検出ラインＬ１４ａ、Ｌ１５、Ｌ１６が接続されている。
【００９７】
このように、各コネクタＣＮ１〜ＣＮ４を高電圧対応監視部ＩＣ４、ＩＣ９、ＩＣ１４の正極側の検出ラインＬ５、Ｌ１１、Ｌ１７または低電圧対応監視部ＩＣ０、ＩＣ５、ＩＣ１０の負極側の検出ラインＬ０、Ｌ６、Ｌ１２といった他の監視部の検出ラインから独立した検出ラインに接続する構成とすれば、いずれかのコネクタＣＮ１〜ＣＮ４が抜けた場合、単位電池Ｖ０〜Ｖ１４から電源供給されない監視部ＩＣ０〜１４が存在することとなる。
【００９８】
本実施形態の場合、コネクタＣＮ３が抜けている場合には、単位監視ブロックＢ３における監視部ＩＣ１０、ＩＣ１１が単位電池Ｖ０〜Ｖ１４から電源供給されなくなる。それ故、監視部ＩＣ１０、ＩＣ１１の監視結果をマイコン５に出力することができなくなり、シリアルラインＳＬ１が途絶することとなる。
【００９９】
また、コネクタＣＮ４が抜けている場合には、単位監視ブロックＢ３における監視部ＩＣ１２〜ＩＣ１４が単位電池Ｖ０〜Ｖ１４から電源供給されなくなる。それ故、単位監視ブロックＢ３における監視部１２〜ＩＣ１４の監視結果を低電圧側の監視部ＩＣ１０、ＩＣ１１に出力することができなくなるので、シリアルラインＳＬ３が途絶することとなる。
【０１００】
以上説明した本実施形態の構成によっても、コネクタ抜けと各単位監視ブロックＢ１〜Ｂ３に形成されたシリアルラインＳＬ１〜ＳＬ３の途絶とを対応付けることができるので、コネクタ抜けの検出精度を向上させることができる。
【０１０１】
（第３実施形態）
次に、本発明の第３実施形態について図３に基づいて説明する。本実施形態では、第１実施形態と異なる部分を主に説明する。ここで、図３は、本実施形態に係る電池監視装置２を含む組電池制御システムの要部を示す構成図である。なお、本実施形態の電圧検出ユニット３およびマイコン５については第１実施形態と同様であるため図３では省略している。
【０１０２】
本実施形態では、コネクタ抜けと各単位監視ブロックＢ１〜Ｂ３に形成されたシリアルラインＳＬ１〜ＳＬ３の途絶とを対応付ける構成が、第１実施形態の構成と異なっている。
【０１０３】
図３に示すように、本実施形態では、単位監視ブロックＢ１の一部を、コネクタＣＮ１を介して単位電池Ｖ０〜Ｖ２に接続し、単位監視ブロックＢ１の残部と単位監視ブロックＢ２を、コネクタＣＮ２を介して単位電池Ｖ３〜Ｖ９に接続する構成としている。そのため、コネクタＣＮ１〜ＣＮ３と各単位監視ブロックＢ１〜Ｂ３とが一対一で対応する構成となっていない。
【０１０４】
また、検出ラインＬ３は、コネクタＣＮ１およびコネクタＣＮ２に接続された２本の検出ラインＬ３ａ、Ｌ３ｂで構成されており、検出ラインＬ３ｂが、コネクタＣＮ２に接続された検出ラインＬ３ａから分岐してＣＮ１に接続されている。
【０１０５】
そして、本実施形態の各コネクタＣＮ１〜ＣＮ３は、各単位監視ブロックＢ１〜Ｂ３における高電圧対応監視部ＩＣ４、ＩＣ９、ＩＣ１４の正極側の検出ラインＬ５、Ｌ１１、Ｌ１７および低電圧対応監視部ＩＣ０、ＩＣ５、ＩＣ１０の負極側の検出ラインＬ０、Ｌ６、Ｌ１２の少なくともいずれかに接続される構成としている。
【０１０６】
具体的には、本実施形態では、単位監視ブロックＢ１における低電圧対応監視部ＩＣ０の負極側の検出ラインＬ０をコネクタＣＮ１に接続し、高電圧対応監視部ＩＣ４の正極側の検出ラインＬ５をコネクタＣＮ２に接続する構成としている。
【０１０７】
より詳しくは、本実施形態のコネクタＣＮ１は、単位監視ブロックＢ１における低電圧対応監視部ＩＣ０の負極側の検出ラインＬ０の他、検出ラインＬ１、Ｌ２、Ｌ３ｂに接続されている。また、コネクタＣＮ２は、単位監視ブロックＢ１における高電圧対応監視部ＩＣ４の正極側の検出ラインＬ５の他、検出ラインＬ３ａ、Ｌ４〜Ｌ１１が接続されている。
【０１０８】
このように、各コネクタＣＮ１〜ＣＮ３を高電圧対応監視部ＩＣ４、ＩＣ９、ＩＣ１４の正極側の検出ラインＬ５、Ｌ１１、Ｌ１７または低電圧対応監視部ＩＣ０、ＩＣ５、ＩＣ１０の負極側の検出ラインＬ０、Ｌ６、Ｌ１２といった他の監視部の検出ラインから独立した検出ラインに接続する構成とすれば、いずれかのコネクタＣＮ１〜ＣＮ３が抜けた場合、単位電池Ｖ０〜Ｖ１４から電源供給されない監視部が存在することとなる。
【０１０９】
本実施形態の場合、コネクタＣＮ１が抜けている場合には、単位監視ブロックＢ１における監視部ＩＣ０〜ＩＣ２が単位電池Ｖ０〜Ｖ１４から電源供給されなくなる。それ故、単位監視ブロックＢ１における監視部ＩＣ０〜ＩＣ２の監視結果をマイコン５に出力することができなくなるので、シリアルラインＳＬ３が途絶することとなる。
【０１１０】
また、コネクタＣＮ２が抜けている場合には、単位監視ブロックＢ１における監視部ＩＣ３、ＩＣ４並びに単位監視ブロックＢ２における監視部ＩＣ５〜ＩＣ９が単位電池Ｖ０〜Ｖ１４から電源供給されなくなる。
【０１１１】
それ故、単位監視ブロックＢ１における監視部ＩＣ３、ＩＣ４の監視結果を低電圧側の監視部ＩＣ０〜ＩＣ２に出力することができなくなるので、シリアルラインＳＬ１が途絶することとなる。さらに、単位監視ブロックＢ２における監視部ＩＣ５〜ＩＣ９の監視結果をマイコン５に出力することができなくなるので、シリアルラインＳＬ２が途絶することとなる。
【０１１２】
以上説明した本実施形態の構成によっても、コネクタ抜けと各単位監視ブロックＢ１〜Ｂ３に形成されたシリアルラインＳＬ１〜ＳＬ３の途絶とを対応付けることができるので、コネクタ抜けの検出精度を向上させることができる。
【０１１３】
（第４実施形態）
次に、本発明の第４実施形態について図４に基づいて説明する。本実施形態では、第１実施形態と異なる部分を主に説明する。ここで、図４は、本実施形態に係る電池監視装置２を含む組電池制御システムの要部を示す構成図である。なお、本実施形態の単位電池Ｖ０〜Ｖ４、Ｖ１０〜Ｖ１４、単位監視ブロックＢ１、Ｂ３、検出ラインＬ０〜Ｌ５、Ｌ１２〜Ｌ１７、電圧検出ユニット３、マイコン５については第１実施形態と同様であるため図４では省略している。
【０１１４】
本実施形態では、コネクタ抜けと単位監視ブロックＢ２に形成されたシリアルラインＳＬ２の途絶とを対応付ける構成が、第１実施形態の構成と異なっている。
【０１１５】
図４に示すように、本実施形態では、単位監視ブロックＢ２を３つのコネクタＣＮ２ａ、ＣＮ２ｂ、ＣＮ２ｃを介して、単位電池Ｖ５〜Ｖ９に接続する構成としている。そのため、コネクタＣＮ１〜ＣＮ３と各単位監視ブロックＢ１〜Ｂ３とが一対一で対応する構成となっていない。
【０１１６】
また、本実施形態では、各コネクタＣＮ２ａ〜ＣＮ２ｃのいずれか１つのコネクタに接続された検出ライン（電源ライン）は、他のコネクタに接続された検出ラインと電気的に独立するように構成されている。すなわち、同一のコネクタに接続された検出ライン（電源ライン）は、同一のコネクタに接続された検出ラインと接続されることがあっても、他のコネクタに接続された検出ラインとは接続されることがないようにしている。
【０１１７】
具体的には、コネクタＣＮ２ｂに接続された検出ラインＬ７ａ、Ｌ８、Ｌ９、Ｌ１０ｂは、他のコネクタＣＮ２ｂ、ＣＮ２ｃに接続された検出ラインＬ６、Ｌ７ｂ、Ｌ１０ａ、Ｌ１１と電気的に独立させた検出ラインとしている。
【０１１８】
このように、各コネクタＣＮ１〜ＣＮ３のいずれか１つのコネクタに接続した検出ライン（電源ライン）を他の検出ラインから電気的に独立した検出ラインで構成することで、当該１つのコネクタが抜けた場合、抜けたコネクタに検出ライン（電源ライン）を介して接続された監視部ＩＣ０〜ＩＣ１４は、他のコネクタに接続された検出ライン（電源ライン）を介して電源供給されない構成となる。
【０１１９】
これにより、抜けたコネクタに接続された監視部が作動しなくなり、作動しない監視部を含む単位監視ブロックに形成されたシリアルラインが途絶することとなる。
【０１２０】
本実施形態の場合、コネクタＣＮ２ｂが抜けている場合には、単位監視ブロックＢ２における高電圧対応監視部ＩＣ９および低電圧対応監視部ＩＣ５を除く監視部ＩＣ６〜ＩＣ８が単位電池Ｖ０〜Ｖ１４から電源供給されなくなる。それ故、監視部ＩＣ６〜ＩＣ８の監視結果をマイコン５に出力することができなくなるので、シリアルラインＳＬ２が途絶することとなる。
【０１２１】
以上説明した本実施形態の構成によっても、コネクタ抜けと各単位監視ブロックＢ１〜Ｂ３に形成されたシリアルラインＳＬ１〜ＳＬ３の途絶とを対応付けることができるので、コネクタ抜けの検出精度を向上させることができる。
【０１２２】
（他の実施形態）
以上、本発明の実施形態について説明したが、本発明はこれに限定されるものではなく、各請求項に記載した範囲を逸脱しない限り、各請求項の記載文言に限定されず、当業者がそれらから容易に置き換えられる範囲にも及び、かつ、当業者が通常有する知識に基づく改良を適宜付加することができる。例えば、以下のように種々変形可能である。
【０１２３】
（１）上記各実施形態では、電池監視装置２に電圧検出ユニット３を設ける構成としているが、電圧検出ユニット３を用いない構成としてもよい。この場合、マイコン５にて行なうコネクタ抜け検出処理は、各単位電池Ｖ０〜Ｖ１４の電圧を検出することなく、各シリアルラインＳＬ１〜ＳＬ３が途絶しているか否かを判定し、シリアルラインＳＬ１〜ＳＬ３が途絶していると判定すればよい。
【０１２４】
（２）また、上記各実施形態では、電池監視装置２の監視ユニット４は電池セル１ａとして二次電池の過充放電を検出していたが、過充放電の両方の監視を行わなくても良く、過充電もしくは過放電のいずれか一方を監視するだけでも良い。
【０１２５】
（３）また、上記各実施形態では、電池セル１ａとしてリチウムイオン二次電池を例に説明したが、他の二次電池を採用しても良い。
【０１２６】
（４）また、上記各実施形態では、電池監視装置２を車載高圧バッテリに適用する例を説明したが、車載高圧バッテリに限らず、他のバッテリに用いてもよい。
【符号の説明】
【０１２７】
１                組電池
１ａ              電池セル
２                電池監視装置
Ｂ１〜Ｂ３        単位監視ブロック
ＣＮ１〜ＣＮ４    コネクタ
Ｖ０〜Ｖ１４      単位電池
ＩＣ０〜ＩＣ１４  監視部
Ｌ０〜Ｌ１７      電源ライン（検出ライン）
ＳＬ１〜ＳＬ３    シリアルライン
【図１】
2011112475.tif 000003
【図２】
2011112475.tif 000004
【図３】
2011112475.tif 000005
【図４】
2011112475.tif 000006
【図５】
2011112475.tif 000007